(57)【要約】【課題】光ファイバーケーブルを引っ張る等の外部からの力が加わっても光ファイバーケーブルが雌側の光コネクタから外れることのない光ファイバー用コンセントを提供する。【解決手段】光プラグが抜き差し可能な光レセプタクル２を各々一面が開口された箱体から成るボディ４及びカバー５のそれぞれの開口面を突き合わせて構成される箱状のケース３内に収納して成り、ボディ４は、外部からの光ファイバーケーブル１をケース３内部に導くためのケーブル挿通孔９を有し、ボディ４及びカバー５は、ケース３内部のケーブル挿通孔９近傍において光ファイバーケーブル１を所定の曲げ半径で挟持して固定するケーブル固定用リブ１０，１１をそれぞれ備えた。【選択図】図１
2008083087.tif 000002
【特許請求の範囲】
【請求項１】
雄側の光コネクタが抜き差し可能な雌側の光コネクタを各々一面が開口された箱体から成るボディ及びカバーのそれぞれの開口面を突き合わせて構成される箱状のケース内に収納した光ファイバー用コンセントであって、ボディは、外部からの光ファイバーケーブルをケース内部に導くためのケーブル挿通孔を有し、ボディ及びカバーは、ケース内部のケーブル挿通孔近傍において光ファイバーケーブルを所定の曲げ半径で固定するケーブル固定手段をそれぞれ備えたことを特徴とする光ファイバー用コンセント。
【請求項２】
前記ケーブル固定手段として、ボディ及びカバーは、互いに向き合う方向に立設されて光ファイバーケーブルを挟持するケーブル固定用リブをそれぞれ備え、ケーブル固定用リブの光ファイバーケーブルと当接する面は、光ファイバーケーブルが前記所定の曲げ半径となる曲率で形成されたことを特徴とする請求項１記載の光ファイバー用コンセント。
【発明の詳細な説明】
【技術分野】
【０００１】
本発明は、壁面のような施工面に露出した形で設置される光ファイバー用コンセントに関する。
【背景技術】
【０００２】
従来、壁や床等の施工面に取り付けられる光ファイバー用コンセントとして、例えば特許文献１に開示されているようなものがあった。この光ファイバー用コンセントは、ボディと、該ボディの前方へ突出自在にボディの前部に装着され、ボディに光ファイバー用レセプタクルを収納した状態で前面が壁等の造営材の取付面と平行する平坦面となるカバーと、カバーに取り付けられてカバーの前方突出時にプラグ接続口をボディ外に臨ませる光ファイバー用レセプタクルと、カバーをボディの前方へ突出させる方向に常時付勢する付勢手段及びボディ内に光ファイバー用レセプタクルを収納した状態を保持する保持手段から成り、該保持手段の保持が解除された時にカバーをボディ前方へ突出させるポップアップ機構とから成る。
【特許文献１】特開２００５−７０３４０号公報
【発明の開示】
【発明が解決しようとする課題】
【０００３】
しかしながら、上記従来例では、ボディ及びカバーから成るケース内部において、ケース外部からケース内部に挿通されて光ファイバー用レセプタクル（雌側の光コネクタ）に取り付けられる光ファイバーケーブルが自由に動けるようになっているため、光ファイバーケーブルを引き回したり足を引掛ける等の外部からの力が加わった場合に光ファイバーケーブルが許容される曲げ半径以上に曲げられることで引張り力が働いて雌側の光コネクタから外れてしまう虞があった。
【０００４】
本発明は、上記の点に鑑みて為されたもので、光ファイバーケーブルを引っ張る等の外部からの力が加わっても光ファイバーケーブルが雌側の光コネクタから外れることのない光ファイバー用コンセントを提供することを目的とする。
【課題を解決するための手段】
【０００５】
請求項１の発明は、上記目的を達成するために、雄側の光コネクタが抜き差し可能な雌側の光コネクタを各々一面が開口された箱体から成るボディ及びカバーのそれぞれの開口面を突き合わせて構成される箱状のケース内に収納した光ファイバー用コンセントであって、ボディは、外部からの光ファイバーケーブルをケース内部に導くためのケーブル挿通孔を有し、ボディ及びカバーは、ケース内部のケーブル挿通孔近傍において光ファイバーケーブルを所定の曲げ半径で固定するケーブル固定手段をそれぞれ備えたことを特徴とする。
【０００６】
請求項２の発明は、請求項１の発明において、ケーブル固定手段として、ボディ及びカバーは、互いに向き合う方向に立設されて光ファイバーケーブルを挟持するケーブル固定用リブをそれぞれ備え、ケーブル固定用リブの光ファイバーケーブルと当接する面は、光ファイバーケーブルが前記所定の曲げ半径となる曲率で形成されたことを特徴とする。
【発明の効果】
【０００７】
本発明によれば、ケース内部のケーブル挿通孔近傍において光ファイバーケーブルを所定の曲げ半径で固定するので、光ファイバーケーブルの抜け方向に対する引張り強度を向上することができ、したがって光ファイバーケーブルを引っ張る等の外部からの力が加わって光ファイバーケーブルが雌側の光コネクタから外れるのを防止することができる。
【発明を実施するための最良の形態】
【０００８】
以下、本発明の実施形態について図面を用いて説明する。尚、以下の説明では、ボディ４の長手方向において、図４における手前側を前方向、奥側を後方向とし、ボディ４の短手方向において、図４における手前側を右方向、奥側を左方向とし、図４における上下方向を上下方向と定める。
【０００９】
本実施形態の光ファイバー用コンセントは、図１に示すように、雄側の光コネクタである光プラグ（図示せず）が抜き差し可能な雌側の光コネクタである光レセプタクル２をケース３に収納して構成される。ケース３は合成樹脂材料により略直方体状に形成されるもので、壁面などの施工面に下面を対向させる形で固定されるとともに上面側に光レセプタクル２が装着されるボディ４と、ボディ４及び光レセプタクル２の上面側を覆う形でボディ４に着脱自在に結合されるカバー５とで構成される。
【００１０】
光プラグ及び光レセプタクル２は、例えばＳＣ形光コネクタ（ＪＩＳ  Ｃ５９７３で規定されたＦ０４形単心光ファイバコネクタ）を構成するもので、スライドロック構造のプッシュオン形締結構造を備えている。尚、光プラグは周知であって本発明の要旨に関わるものではないので、ここでは詳細な説明を省略する。
【００１１】
光レセプタクル２は、略直方体状のハウジング２０の内部に、図示しないがフェルール、スリーブ、割りスリーブ等を収納して成る。ハウジング２０は、前部側の外周面が後部側の外周面より突出して形成され、ハウジング２０の前面には光プラグが抜き差し可能な開口部２１が設けられている。ハウジング２０の後面には、光ファイバーケーブル１の先端に取り付けられたプラグ１ａを抜き差し可能なケーブル接続口２２が設けられており、該ケーブル接続口２２にプラグ１ａを挿入することで光プラグと光学的に接続される（図１参照）。尚、本実施形態では光ファイバーケーブル１を光レセプタクル２に接続するために、施工性を考慮して光ファイバーケーブル１の先端に取り付けられたプラグ１ａを光レセプタクル２に装着するようにしており、該プラグ１ａを含めて雌側の光コネクタを構成している。プラグ１ａには、該プラグ１ａの後部と光ファイバーケーブル１の外皮とを覆う略直方体状の外皮把持部６が取付けられており、光ファイバーケーブル１とプラグ１ａとの連結部を固定している。またハウジング２０の前部側の外周面の後方における左右両側には、外側に突出するフランジ２３が設けられている。
【００１２】
ボディ４は、図３（ａ）に示すように、上面が開口した箱体に形成され、前面には上方に突出する正面壁４０が突設され、正面壁４０の中央には矩形状の開口窓４０ａが設けられている。ボディ４の前方には光レセプタクル２が装着される装着部４１が形成され、ボディ４の短手方向における装着部４１の前方の左右両側には、上方へ突出する平板状の主片４３ａと、主片４３ａの上端縁よりボディ４の内側に向けて突出する係止突片４３ｂとから成る鈎形の係止片４３がそれぞれ２つずつ、計４つ形成されている。これら係止片４３の間に光レセプタクル２のフランジ４３を上方からそれぞれスライドして嵌合し、係止突片４３ｂによってハウジング２０を係止することで光レセプタクル２が装着部４１に装着される（図２（ａ）参照）。尚、光レセプタクル２は、ボディ４の開口窓４０ａを通して光レセプタクル２の開口部２１に光プラグを抜き差しできるように装着される（図２（ｂ）参照）。ボディ４後面の略中央には、外部からの光ファイバーケーブル１をケース３内に導くための略矩形状のケーブル挿通孔９が貫設されている。
【００１３】
また、装着部４１の後方の左右両側にはそれぞれボス部４２が形成され、各ボス部４２にはボディ４を上下に貫通する取付孔４２ａがそれぞれ形成されている。この取付孔４２ａを通してネジ（図示せず）を木質壁などの施工面（図示せず）に螺合することでボディ４を施工面に固定する。尚、施工面がスチール製である場合（例えば、事務机等に取り付ける場合）には、ボディ４の背面に着脱自在に取り付けられるマグネット（図示せず）を施工面に磁着させればよい。
【００１４】
カバー５は、図３（ｂ）に示すように、下面が開口した箱体に形成され、光レセプタクル２が装着された状態のボディ４の上面側を覆っている。カバー５の前面側の周壁には短手方向全長に渡る開口部５０が設けられており、カバー５の後面側の周壁には、カバー５をボディ４に装着した状態においてボディ４のケーブル挿通孔９に嵌合する突部５１が下方に向けて突設されている。
【００１５】
次に、本実施形態におけるボディ４とカバー５の結合構造について説明する。図３（ａ）に示すように、ボディ４の長手方向に沿った両端部の正面壁４０寄りの部位には、カバー５が被さる被着面（上面）と一定の間隔を空けて対向し且つボディ４の長手方向と略平行に延長されたレール部４４がそれぞれ上方へ突設されている。このレール部４４は、上方へ突出する平板状の主片４４ａと、主片４４ａの上端縁よりボディ４の外側に向けて突出する係合突片４４ｂとを有する鈎形に形成されている。
【００１６】
一方、カバー５の長手方向に沿った両端部の内側面には、カバー５をボディ４の上面に沿って長手方向にスライド移動させたときにレール部４４の係合突片４４ｂと係合する係合片５２がそれぞれ設けられている。
【００１７】
したがって、係合片５２が係合突片４４ｂと重ならないようにしてボディ４の上面にカバー５を被せた状態でボディ４の正面壁４０に近付く向き（以下、「装着向き」と呼ぶ）にカバー５をスライド移動させると、係合片５２と係合突片４４ｂとが係合することでボディ４にカバー５を装着して両者を結合することができる（図４参照）。また、カバー５をボディ４から取り外すには、カバー５を装着向きと逆向きにスライド移動させて係合片５２と係合突片４４ｂとの係合状態を解除することにより、カバー５をボディ４から取り外すことができる。
【００１８】
また、カバー５をスライド移動させてボディ４の上面に被着した状態でロックされ、ケース３の上下方向及び左右方向に沿ってボディ４の上面からカバー５が離脱するのを防ぐロック手段がボディ４及びカバー５に設けてある。このロック手段は、カバー５に設けられた一対のロック用突部５３と、ボディ４に設けられ、カバー５をスライド移動させたときにロック用突部５３と各別に嵌合する一対のロック用嵌合部４５とから成る。
【００１９】
ロック用突部５３は、カバー５の後面側の周壁に長手方向内向きに突出する形で突設されている。ロック用嵌合部４５は、ボディ４の後面に当接して上方に突設されており、それぞれボディ４の長手方向外向きに開口するロック用嵌合孔４５ａが形成されている。
【００２０】
而して、ボディ４の上面に被せた状態でカバー５を装着向きにスライド移動すると、カバー５のロック用突部５３がボディ４のロック用嵌合部４５に形成されたロック用嵌合孔４５ａと係合するので、ボディ４及びカバー５の結合強度が強くなる。
【００２１】
ボディ４の各ボス部４２の後方には、図２（ａ）に示すように、平面視略コ字状の当接部８がそれぞれ上方に突設されており、これら当接部８は、光レセプタクル２が装着された状態において外皮把持部６を挟持することで、外皮把持部６を左右方向において固定している。
【００２２】
また、図２（ｂ）に示すように、ボディ４には、ボディ４の長手方向に沿って設けられた複数の突条（図示では３つ）から成る固定部７が、カバー５には、図３（ｂ）に示すように、カバー５の長手方向に沿って設けられた複数の突条（図示では２つ）から成る固定部７がそれぞれ形成されている。これら突条は左右方向において等間隔に設けられ、階段状に形成されている。具体的には、ボディ４の固定部７の突条は、ボディ４とカバー５が結合している状態において、前部が光レセプタクル２のハウジング２０後部の下面と、後部が外皮把持部６の下面と当接するように形成され、カバー５の固定部７の突条は、ボディ４とカバー５が結合している状態において、前部が光レセプタクル２のハウジング２０前部の上面と、中央部が光レセプタクル２のハウジング２０後部の上面と、後部が外皮把持部６の上面と当接するように形成されている。したがって、光レセプタクル２及び外皮把持部６と上下方向に当接することで挟持し、光レセプタクル２及び外皮把持部６を上下方向において固定している。
【００２３】
以下、本実施形態における光ファイバーケーブル１を所定の曲げ半径で固定するケーブル固定手段について説明する。図１に示すように、ボディ４及びカバー５の後方には、ケーブル固定用リブ１０，１１が互いに向き合うように立設されている。ボディ４のケーブル固定用リブ１０は、図３（ａ）に示すように、ケーブル挿通孔９の近傍においてボディ４の下面から上方に向かって突設されており、その上端面はケーブル挿通孔９の下端縁から前方に向かうにつれて上方へと滑らかに傾斜した曲面形状となっている。カバー５のケーブル固定用リブ１１は、図３（ｂ）に示すように、突部５１の近傍において上面から下方に向かって突設されており、その下端面は突部５１の下端縁から前方に向かうにつれて上方へと滑らかに傾斜した曲面形状となっている。ケーブル固定用リブ１０，１１の前端部には、それぞれ略矩形状の補助リブ１０ａが一体に形成されており、その左右方向の幅は光ファイバーケーブル１の直径と略等しい長さとなっている。
【００２４】
これらケーブル固定用リブ１０，１１及び補助リブ１０ａ，１１ａは、図１に示すように、ボディ４にカバー５を装着している状態において、ケーブル固定用リブ１０及び補助リブ１０ａの上端面とケーブル固定用リブ１１及び補助リブ１１ａの下端面とが光ファイバーケーブル１に当接することで光ファイバーケーブル１を挟持し固定する。ケーブル固定用リブ１０，１１の光ファイバーケーブル１と当接する面は、光ファイバーケーブル１が許容される曲げ半径以下の所定の曲げ半径で挟持されるような曲率で形成されており、本実施形態のように、光ファイバーケーブル１をケーブル挿通孔９から外皮把持部６の後端部まで滑らかに曲げ且つ外皮把持部６の後端部において光ファイバーケーブル１が直線状となる部分を確保できるように形成されるのが望ましい。
【００２５】
上述のように、ケーブル固定用リブ１０，１１によって光ファイバーケーブル１が曲げられた状態で挟持されるので、光ファイバーケーブル１の抜け方向に対する引張り強度を向上することができ、したがって光ファイバーケーブル１を引っ張る等の外部からの力が加わって光ファイバーケーブル１が光レセプタクル２から外れるのを防止することができる。また、ケーブル固定用リブ１０，１１によって光ファイバーケーブル１を効率よく曲げることができるので、ケース３の外形を最大限小さくすることができ、製造コストを低減することができる。
【図面の簡単な説明】
【００２６】
【図１】本発明の実施形態の光ファイバー用コンセントを示す断面図である。
【図２】同上を示す図で、（ａ）は上面透視図で、（ｂ）は正面図である。
【図３】同上の分解斜視図で、（ａ）はカバー側から見た図で、（ｂ）はボディ側から見た図である。
【図４】同上の全体斜視図である。
【符号の説明】
【００２７】
１  光ファイバーケーブル
２  雌側の光コネクタ（光レセプタクル）
３  ケース
４  ボディ
５  カバー
９  ケーブル挿通孔
１０，１１  ケーブル固定用リブ
【図１】
2008083087.tif 000003
【図２】
2008083087.tif 000004
【図３】
2008083087.tif 000005
【図４】
2008083087.tif 000006